(57)【要約】【課題】  光源の輝度を調整する方法を提供する。【解決手段】  Ｘ輝度レベルを有する光源を提供するステップ、少なくとも１度、光源をオンオフにするステップ、光源をオンにする回数ｎが輝度レベルの全ての数Ｘより小さい、または等しい時、Ｘ輝度レベルの中の第ｎ番目の輝度レベルにある光源の輝度レベルを決めるステップ、光源をオンにする回数ｎが輝度レベルの全ての数Ｘより大きい時、Ｘ輝度レベルの中の第ｍ番目（数ｍは、数ｎを数Ｘで割ることで得られた残りと等しい）の輝度レベルにある光源の輝度レベルを決めるステップ、及び光源をオンにする回数ｎが輝度レベルの全ての数Ｘより大きく、数ｍがゼロと等しい時、Ｘ輝度レベルの中の最後の輝度レベルにある光源の輝度レベルを決めるステップを含む光源の輝度を調整する方法。【選択図】  図２
2010045021.tif 000002
【特許請求の範囲】
【請求項１】
Ｘ輝度レベルを有する光源を提供するステップ、
少なくとも１度、前記光源をオンオフにするステップ、
前記光源をオンにする回数ｎが前記輝度レベルの全ての数Ｘより小さい、または等しい時、前記Ｘ輝度レベルの中の第ｎ番目の輝度レベルにある前記光源の輝度レベルを決めるステップ、
前記光源をオンにする回数ｎが輝度レベルの全ての数Ｘより大きい時、前記Ｘ輝度レベルの中の第ｍ番目（数ｍは、数ｎを数Ｘで割ることで得られた残りと等しい）の輝度レベルにある前記光源の輝度レベルを決めるステップ、及び
前記光源をオンにする回数ｎが輝度レベルの全ての数Ｘより大きく、数ｍがゼロと等しい時、前記Ｘ輝度レベルの中の最後の輝度レベルにある前記光源の輝度レベルを決めるステップを含む光源の輝度を調整する方法。
【請求項２】
前記輝度レベルは、暗から明、または明から暗に順次する請求項１に記載の方法。
【請求項３】
前記光源が一度にオンオフされる時、前記光源の輝度が一度変えられる請求項１に記載の方法。
【請求項４】
前記光源がオフにされた時の時点から、前記光源がオンにされた時の時点までの時間は、既定時間より短くなければならず、前記時間が前記既定時間より長い場合、前記光源は、前記Ｘ輝度レベルの中の第１輝度レベルと等しい始めの輝度レベルで点灯される請求項１に記載の方法。
【請求項５】
Ｘ輝度レベルを有する光源を提供するステップ、
少なくとも１度、前記光源をオンオフにするステップ、
前記光源をオンにする回数ｎが前記輝度レベルの全ての数Ｘより小さい、または等しい時、前記Ｘ輝度レベルの中の第ｎ番目の輝度レベルに基づいてある前記光源の輝度レベルを決めるステップ、
前記光源をオンにする回数ｎが輝度レベルの全ての数Ｘより大きい時、前記Ｘ輝度レベルの中の第ｍ番目（数ｍは、数ｎを数Ｘで割ることで得られた残りと等しい）の輝度レベルにある前記光源の輝度レベルを決めるステップ、及び
前記光源をオンにする回数ｎが輝度レベルの全ての数Ｘより大きく、数ｍがゼロと等しい時、前記Ｘ輝度レベルの中の最後の輝度レベルにある前記光源の輝度レベルを決めるステップ、及び
前記光源がオンにされた時の時点と前記光源が点灯された時点との間のバッファ時間を提供するステップを含む光源の輝度を調整する方法。
【請求項６】
前記輝度レベルは、暗から明、または明から暗に順次する請求項５に記載の方法。
【請求項７】
前記光源が一度にオンオフされる時、前記光源の輝度が一度変えられる請求項５に記載の方法。
【請求項８】
前記光源がオフにされた時の時点から、前記光源がオンにされた時の時点までの時間は、既定時間より短くなければならず、前記時間が前記既定時間より長い場合、前記光源は、前記Ｘ輝度レベルの中の第１輝度レベルと等しい始めの輝度レベルで点灯される請求項５に記載の方法。
【請求項９】
前記光源がオンにされた時の持続時間は、前記バッファ時間より長くなければならず、持続時間が前記バッファ時間より短い時前記光源は、点灯されない請求項５に記載の方法。
【発明の詳細な説明】
【技術分野】
【０００１】
本発明は、光源の輝度を調整する方法に関し、特に、光源をオンオフにすることで光源の輝度を調整する方法に関するものである。
【背景技術】
【０００２】
従来の照明装置、例えば白色電球、蛍光灯と、発光ダイオードなどが点灯された時、それらは一定の輝度を有する光源を提供する。高い輝度が必要とされない状況では、照明装置より提供された余分な明るさでエネルギーが浪費される。また、周囲環境の状況に応じて適当な明るさを提供するために照明の明るさを変えることはユーザーにとってはしばしば不便である。よって、適当な輝度は照明装置には重要な問題である。
【発明の概要】
【発明が解決しようとする課題】
【０００３】
光源の輝度を調整する方法を提供する。
【課題を解決するための手段】
【０００４】
光源の輝度を調整する方法は、Ｘ輝度レベルを有する光源を提供すステップ、少なくとも１度光源をオンオフにするステップ、光源をオンにする回数ｎが輝度レベルの全ての数Ｘより小さい、または等しい時、Ｘ輝度レベルの中の第ｎ番目の輝度レベルにある光源の輝度レベルを決めるステップ、光源をオンにする回数ｎが輝度レベルの全ての数Ｘより大きい時、Ｘ輝度レベルの中の第ｍ番目（数ｍは、数ｎを数Ｘで割ることで得られた残りと等しい）の輝度レベルにある光源の輝度レベルを決めるステップと、光源をオンにする回数ｎが輝度レベルの全ての数Ｘより大きく、数ｍがゼロと等しい時、Ｘ輝度レベルの中の最後の輝度レベルにある光源の輝度レベルを決めるステップを含む。
【発明の効果】
【０００５】
光源のスイッチをオンとオフにする簡単な操作に基づくと、異なる輝度レベルが異なる周囲環境の状況に適合して得られる。光源がオンにされた時、遅延充電時間があるため、繰り返しオンオフにされるために生じる、ユーザーにとって不快な光源のちらつきを防ぐことができる。また、不必要な電力消費が防がれるため、光源の寿命を延ばすことができる。
【図面の簡単な説明】
【０００６】
【図１】複数の輝度レベルを有する光源の輝度を調整する方法の模範的な実施例の流れ図である。
【図２】複数の輝度レベルを有する光源の輝度を調整する方法の模範的な実施例の流れ図である。
【発明を実施するための形態】
【０００７】
本発明についての目的、特徴、長所が一層明確に理解されるよう、以下に実施形態を例示し、図面を参照にしながら、詳細に説明する。
【実施例】
【０００８】
図１は、複数の輝度レベルを有する光源の輝度を調整する方法の模範的な実施例の流れ図である。光源の輝度レベルの数はＸで表されている。本実施例では、光源のスイッチがまずオンにされる（ステップＳ１）。この時、光源は第１既定の輝度レベルで点灯される（ステップＳ２）。第１既定の輝度は、通常最も明るいか、最も暗いかであるが、これを限定するものではない。続いて光源のスイッチがオフにされる（ステップＳ３）。光源のスイッチがオフにされた後、光源のスイッチは、２度オンにされる（ステップＳ４）。光源のスイッチがオフにされた時の最後の時点から、そのスイッチがオンにされた時の最後の時点までの時間Ｔ１（即ち光源がオンにされている時間）が計算される。時間Ｔ１が既定時間ｔｄｏｆｆより長い場合、ステップＳ２に戻る。即ち、光源は第１既定の輝度レベルで点灯される。時間Ｔ１が既定時間ｔｄｏｆｆより短い場合、光源は、第２既定の輝度レベルで点灯される（ステップＳ５）。実施例では、既定時間ｔｄｏｆｆは、任意に設定されることができ、第２既定の輝度レベルは、通常、第１既定の輝度レベルと異なるがこれを限定するものではない。
【０００９】
光源のスイッチがオフにされ、再度オンにされた場合、光源のスイッチがオフにされた時の最後の時点から、そのスイッチがオンにされた時の最後の時点までの時間Ｔ２が計算される。時間Ｔ２は、時間Ｔ２が既定時間ｔｄｏｆｆより長いかどうかを既定時間ｔｄｏｆｆと比較される。時間Ｔ２が既定時間ｔｄｏｆｆより長い場合、ステップＳ１に戻り、光源は、第１既定の輝度レベルで点灯される。時間Ｔ２が既定時間ｔｄｏｆｆより短い場合、光源は、第３既定の輝度レベルで点灯される。
【００１０】
上述のステップを繰り返すことによって、光源のスイッチがオフにされた時の最後の時点から、そのスイッチがオンにされた時の最後の時点までのそれぞれ計算された時間が既定時間ｔｄｏｆｆより短い時、光源は、光源のスイッチのオンオフ回数に基づいて異なる輝度レベルでそれぞれ点灯される。輝度レベルの数Ｘは、光源のスイッチのオンオフ回数に基づいて決められる。即ち、光源のスイッチがオフにされた時の最後の時点から、そのスイッチがオンにされた時の最後の時点までのそれぞれ計算された時間Ｔ（即ち光源がオンにされている時間）が既定時間ｔｄｏｆｆより短い場合の前提では、輝度レベルの数Ｘは、光源のスイッチのオンオフ回数に基づいて決められる。
【００１１】
以下の例が推定されることができ、光源のスイッチが第Ｎ番目の回数でオンにされることができる。この時、ｎは輝度レベルの数Ｘと等しい。光源のスイッチが第Ｎ番目の回数でオンにされた時（ステップＳｎ）、光源は第Ｘ番目の既定の輝度レベルで点灯される（ステップＳｎ＋１）。ステップＳｎ＋１を行った時、全ての既定の輝度レベルは光源を点灯するのに用いられる。光源のスイッチが第Ｎ番目の回数でオンにされた時（ステップＳｎ）、光源は第Ｘ番目の既定の輝度レベルで点灯される（ステップＳｎ＋１）。ステップＳｎ＋１を行った時、光源のスイッチがステップＳｎ＋２で第Ｎ番目の回数でオフにされ、第Ｎ＋１番目の回数でオンにされた場合、Ｘ輝度レベルしかないため、光源のスイッチをオンにする第Ｎ＋１番目の回数に対応する輝度レベルがない。この場合、光源は第１既定の輝度レベルで点灯される。即ち、第１既定の輝度レベルは、光源のスイッチをオンにする第Ｎ＋１番目の回数に対応して決められる。
【００１２】
上述に基づくと、光源のスイッチをオンにする回数ｎが光源を点灯する全ての輝度レベルの数Ｘより小さい、または等しい時、光源は、第ｎ番目の既定の輝度レベルで点灯される。ｎがＸより大きい時、光源は、第ｍ番目の既定の輝度レベルで点灯される。ｍは、ｎをＸで割ることで得られた残りと等しい。ｎをＸで割ることで得られた残りがゼロと等しい場合、光源は、第Ｘ番目の既定の輝度レベルで点灯される。
【００１３】
例えば、光源を点灯する輝度レベルの数Ｘが５に等しいと仮定する。光源のスイッチをオンにする回数ｎが４と等しい時、４は５より小さいことから、光源は、第４番目の既定の輝度レベルで点灯される。光源のスイッチをオンにする回数ｎが１３と等しい時、１３は５より大きいことから、光源は、第３番目の既定の輝度レベルで点灯される。３は、１３を５で割ることで得られた残りと等しい（１３÷５＝２．．．３）。光源のスイッチをオンにする回数ｎが１０と等しい時、残りがゼロであるため、光源は、第５番目の既定の輝度レベルで点灯される。（１０÷５＝２．．．０）。
【００１４】
図２は、複数の輝度レベルを有する光源の輝度を調整する方法の模範的な実施例の流れ図である。光源の輝度レベルの数はＸで表されている。光源のスイッチがまずオンにされる（ステップＳ２１）。スイッチがオンにされた時の持続時間のｔ１と、既定のバッファ時間ｔｄｏｎが定義される。持続時間のｔ１が既定のバッファ時間ｔｄｏｎより長い時（ｔ１＞ｔｄｏｎ）、光源は、第１既定の輝度レベルで点灯される（ステップＳ２２）。持続時間ｔ１が既定のバッファ時間ｔｄｏｎより短い時（ｔ１＜ｔｄｏｎ）、光源のスイッチは、オフにされて光源が点灯されることができなくなる。注意するのは、光源が点灯されてもされなくても、光源のスイッチは常にオフにされることができる（ステップＳ２３）。光源のスイッチがオフにされた後、スイッチがオフにされた時の時点から、スイッチが再度オンにされる時の時点までの時間Ｔ１が計算される。時間Ｔ１が既定のバッファ時間ｔｄｏｆｆより長い時（即ち、光源がオンにされている時間）、ステップＳ２１に戻る。即ち、最初に戻り、スイッチがオンにされた時、持続時間のｔ１が既定のバッファ時間ｔｄｏｎより長いかどうか再度決められ、光源が第１既定の輝度レベルで点灯されるかどうか決められる。時間Ｔが既定のバッファ時間ｔｄｏｎより短い時、光源のスイッチは第２時間でオンにされる（ステップＳ２４）。スイッチがオンにされた時、持続時間ｔ２が既定のバッファ時間ｔｄｏｎより長い時、光源のスイッチがオフにされるまで（ステップＳ２６）、光源は第２既定の輝度レベルで点灯される（ステップＳ２５）。
【００１５】
以下の例が推定されることができ、光源のスイッチが第Ｎ番目の回数でオンにされることができる。この時、ｎは輝度レベルの数Ｘと等しい。光源のスイッチが第Ｎ番目の回数でオンにされた時（ステップＳ２ｎ）、スイッチがオンにされた時、持続時間ｔｎが既定のバッファ時間ｔｄｏｎより長い時、光源は第Ｘ既定の輝度レベルで点灯される（ステップＳ２ｎ＋１）。光源のスイッチが第Ｎ番目の回数でオフにされ（ステップＳｎ＋２）、第Ｎ＋１番目の回数でオンにされた場合、Ｘ輝度レベルしかないため、光源のスイッチをオンにする第Ｎ＋１番目の回数に対応する輝度レベルがない。この場合、光源は第１既定の輝度レベルで点灯される。即ち、第１既定の輝度レベルは、光源のスイッチをオンにする第Ｎ＋１番目の回数に対応して決められる。
【００１６】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００１７】
Ｓ２１〜Ｓ２ｎ＋２  ステップ
Ｔ１〜Ｔｎ  光源のオフ時間
ｔ１〜ｔｎ  光源のオン時間
ｔｄｏｆｆ  既定時間
ｔｄｏｎ  既定バッファ時間
【図１】
2010045021.tif 000003
【図２】
2010045021.tif 000004